(57)【要約】      （修正有）【課題】歯列矯正用ブラケットの被覆に使用することができ、ブラケット自体と頬の内側および口唇の保護ならびに美観の向上ができる歯列矯正ブラケット装着時用美観シールを提供する。【解決手段】シールは摂食可能な材質で作られ、厚さ１０〜２０μｍ、幅９〜１２ｍｍのテープ状で、基材層は不透明で粘着層と透明コーティング層の間に挟まれ、健康な状態の上下いずれかの歯列の目に見える前面部全体を原寸大で再現したパノラマ３Ｄイメージが繰り返し描かれ、それが基材層の全面を覆い、その隣接する歯列イメージ同士の間にはテープを幅方向に切り離すことができるように切り取り線としてのミシン目４が設けられ、粘着層によって口腔内の硬組織と軟組織に確実に接着することを可能にしている。さらにテープ状のシールに描かれるイメージは、上側歯列のみ、下側歯列のみ、または上下歯列の交互の繰り返しのいずれかで、そのテープはロール状２に巻かれた形状とする。【選択図】図１
0003224186.tif 000002
【実用新案登録請求の範囲】
【請求項１】
下側が貼り付き防止フィルムで覆われた粘着層と、使用中に変色することのないイメージが描かれた基材層と、最上部の透明コーティング層とを備えた、薄くかつ美麗な口腔前庭用シート状の歯列矯正ブラケット装着時用美観シールであって、摂食可能な材質で作られ、厚さ１０〜２０μｍ、幅９〜１２ｍｍのテープ状となっており、前記基材層は不透明で前記粘着層と前記透明コーティング層の間に挟まれており、健康な状態の上下いずれかの歯列の目に見える前面部全体を原寸大で再現したパノラマ３Ｄイメージが繰り返し描かれ、それが前記基材層の全面を覆い、その隣接する歯列イメージ同士の間にはテープを幅方向に切り離すことができるように切り取り線としてのミシン目が設けられ、前記粘着層によって口腔内の硬組織と軟組織に確実に接着することを可能にしていることを特徴とする、歯列矯正ブラケット装着時用美観シール。
【請求項２】
パノラマ３Ｄイメージは、上側歯列のみ、下側歯列のみ、または上下両方の歯列が交互に、のいずれかが繰り返し連続して描かれるバージョン別であることを特徴とする、請求項１に記載の歯列矯正ブラケット装着時用美観シール。
【請求項３】
ロール状に巻かれた形状であることを特徴とする、請求項１に記載の歯列矯正ブラケット装着時用美観シール。
【考案の詳細な説明】
【技術分野】
【０００１】
本考案は、医学、特に歯科矯正学に関するものであり、歯列矯正ブラケットの被覆に使用することができる。その目的は、ブラケット自体と頬の内側および口唇の保護、ならびに美観の向上である。
【背景技術】
【０００２】
歯科的矯正治療中に口腔前庭ブラケット装置を覆うための美観ガードとして知られているものとしては、ブラケットの弧の部分を包みこむための溝を持ったプラスチック製のリップガードがある。このリップガードの内側、ブラケットの上と下に当たる部分にはナイロン糸が２本通っており、外側には歯科用ラバーが使われている。また、リップガード自体が、歯が解剖学的に正しい位置にあり、かつブラケットが完全に覆い隠されるように作られている（特許文献１）。
【０００３】
この既知の製品の欠点は、適用範囲の狭さ、効果および安全性の低さ、製造に要する時間、製造にかかる手間の大きさ、価格、通院治療の条件下での患者自身による装着の困難さなどである。こうしたことの原因は、この製品が特定の個人の専用品として製造されるものであること、また、製造および利用に特別な許認可を受けた環境と専門の技術者が必要となることである。
【０００４】
また、この製品は、通院治療の条件下ですばやく取り外すことも、取り付けることも、交換することも不可能である。さらに、長期の装着を前提としており、迅速に何度も交換することは難しい。しかも、構造上の特徴ゆえに、誤って破損してしまった場合でも、他の類似の製品にすばやく付け替えることができない。
【０００５】
また、歯列の表面を平滑に保ちつつその色と形を忠実に再現することもできない。問題は、この製品が、解剖学的に正しい歯の位置に基づいてつくられたリップガードだということである。それゆえ、歯列の厚さが全体的に増して、会話や食物の咀嚼の際に頬の内側や口唇の表面に刺激を覚える患者もいる。一方、口腔粘膜への機械的刺激が頻繁にかつ長期にわたって起こることも珍しくなく、その結果、人によっては、口腔内に硬結が生じる場合もある（非特許文献１）。
【０００６】
そのほか、カリエス、歯肉炎、口内炎がある場合にも使用することができない。その理由は、製品の構造上、口腔粘膜に対する相当強い刺激を引き起こし、潰瘍の発症やそれへの感染につながることがあるほか、罹患歯へのアクセスも難しいからである。
【０００７】
Ｌｕｍｉｎｅｅｒｓという、厚さ０．３ｍｍの薄くて美麗なプレート状の製品も知られている。これは歯と同じ色のセラミック製またはジルコニア製で、使用中に変色することもない。製造は、選んだ歯の型を１本１本とって行う（インターネット上の非特許文献２を参照）。
【０００８】
この既知の製品の欠点は、適用範囲の狭さ、効果および安全性の低さ、製造に要する時間、製造にかかる手間の大きさ、価格、通院治療条件下での患者自身による装着が不可能なことなどである。こうしたことの原因は、この製品が特定の個人の専用品として１本１本の歯の型から製造されること、製造には専門の技術者が加わらなければならず、専用の設備と技術、特別な許認可を受けた環境も整っている必要があることである。
【０００９】
また、歯列全体の表面を平滑に保ちつつ個々の歯の色と形を忠実に再現することができず、しかも、ブラケットを装着した歯列にも使用不可である。このため、この製品ではブラケットを保護フィルムで覆うことができず、堅い食物によるブラケットの破損や、ブラケットによる口唇や頬の内側の粘膜の損傷を防ぐことも不可能である。このため、患者によっては、頬の内側や口唇の表面に刺激を感じることもあり、堅い食べ物や錠剤を咀嚼するときにブラケットが破損することもある。一方、口腔粘膜への刺激が繰り返し頻繁に、あるいは長期にわたって起こることも珍しくなく、その結果、患者によっては、口唇および頬の内側に硬結が生じる場合もある。
【００１０】
こうしたことのほか、製品の構造上、カリエス、歯肉炎、口内炎がある場合には使用できない。その理由は、罹患歯へのアクセスが困難で、また、歯の厚さを増大させることから、カリエスや口腔粘膜の炎症を進行させたり、さらには、口唇や頬の内側の粘膜に潰瘍を発生させたりもするからである。
【００１１】
また、製品の構造上から、日常生活の中で迅速に装着することも、すばやく取り外して他の類似の製品に交換することもできず、また、分解後の再利用も不可能である。そのほか、硬質で摂食不可能な材質でできているため、偶発的に歯から剥がれた場合、あるいは一部が欠けた場合、人によっては、咀嚼の際に製品全体および／またはその欠片で口唇を傷つけることがある。また、そうしたこととは別に、外れた部分が食道憩室または虫垂に入りこむこともある。こうした場合には、それぞれカリエス、食道炎、虫垂炎の発症につながるおそれがある。
【００１２】
欠損歯のある患者がブラケット矯正装置による治療を受ける際に歯列の欠損部を補完する製品も知られている。これは、ブラケットが取り付けられた義歯で、ブラケットの基材層にはスチールピン２本がはんだ付けされている。ブラケット自体の位置は義歯の口腔前庭側である。スチールピンは、頬舌方向に義歯を貫通しており、先端は口腔側で丸められて義歯の口腔側表面につくられた漏斗の中におさめられている（特許文献２）。
【００１３】
この既知の製品の欠点は、適用範囲の狭さ、効果および安全性の低さ、製造に要する時間、製造にかかる手間の大きさ、価格、通院治療の条件下で患者自身による装着がしにくいことなどである。こうしたことの原因は、この製品が、個々の患者の１本１本の歯ごとに個人的専用品として製造されること、製造には特別な許認可を受けた環境が必要となるほか、専門の技術者、専用の設備と技術もそろえなければならないことである。
【００１４】
また、選択した歯列の目に見える表面の全体を平滑に保ちつつ該当する歯の色と形を忠実に再現することもできない。しかも、装着したブラケットはむき出しのままとなるため、患者によっては、会話や食物の咀嚼の際に頬の内側や口唇の表面に刺激を感じることもある。一方、ブラケットによる口腔粘膜への刺激が頻繁にかつ長期にわたって起こることも珍しくなく、その結果、人によっては、頬の内側や口唇に硬結が生じる場合もある。このため、歯肉炎や口内炎のある場合は適用不可である。
【００１５】
そのほか、この製品ではブラケットを保護層で覆うことができず、したがって、堅い食べ物や錠剤を咀嚼するときにそれらによってブラケットが破損することもありうる。
【００１６】
また、この製品は、その構造上、日常生活の中で迅速に装着することも、すばやく取り外して他の類似の製品に交換することもできず、また、分解後の再利用も不可能である。そのほか、硬質で摂食不可能な材質でできているため、誤って破損した場合に口腔内の硬組織や軟組織を損傷することも考えられ、また、飲み込んだ場合には、食道粘膜を傷つけ、食道および胃の出血をきたすおそれもある。
【００１７】
爪用の美観シールも知られており、これは、絵柄がプリントされた基材層と、基材層上部表面にプリントされた光反射層および金属製印刷塗料または宝石のように光る物質で描かれた絵柄を有する厚みのある装飾部と、基材層上部表面の光反射層（この層は金属薄膜および／または金属粉末を含む）が塗布された部分に印刷の方法で形成された、光反射層に光を通す透明な被覆と、さらにその被覆の上に塗布され、接着された厚みのある層から構成されている。また、光反射層と基材層との間に、反射体を固定する層が設けられている場合もある。光が反射層に集まるように厚みのある層を凸面状にすることもでき、また、厚みのある層をシルクスクリーン印刷の手法を用いて形成することもでき、基材層の下側表面に粘着層や、それを覆う貼り付き防止フィルムを設けることもできる（特許文献３）。
【００１８】
この既知の製品の欠点は、適用範囲の狭さ、効果および安全性の低さ、製造に要する時間、製造にかかる手間の大きさ、価格などである。こうしたことの原因は、この製品が本来は歯科向けでないこと、個人の専用品として製造されること、製造には専門の技術者が加わらなければならず、特別な許認可を受けた環境、設備および技術もそろえる必要があることである。
【００１９】
また、この製品は、その構造上、日常生活の中ですばやく取り外して他の類似の製品に交換するができない。さらに、長期間の利用を想定するものでもある。
【００２０】
この製品は、ブラケットを装着した歯列を被覆するという歯科的な用途を前提とするものではないため、歯列の表面を平滑に保ちつつ顎内部の相応の硬組織および軟組織の色と形を忠実に再現することができない。しかも、ブラケットがむき出しのままとなるため、患者によっては、会話や食物の咀嚼の際に頬の内側や口唇の表面に刺激を感じることがあり、その結果、口唇や頬の内側に硬結を生じる場合もある。
【００２１】
また、この製品は、構造上、日常生活の中で迅速に装着することも、すばやく取り外して他の類似の製品に交換することもできず、また、分解後の再利用も不可能である。
【００２２】
紙またはポリマーをベースとした、デザインエリアを備えた美観シールも知られているが、これは何らかの形象またはシンボルの輪郭がくり抜かれている遮光ステンシルシートである。この遮光ステンシルシートは一方の面が粘着式になっていて、日焼けを試みる利用者が体の好みの場所に貼り、医学的規準内の時間だけ日光浴をする、またはソーラリウムに入ったりしてからこれを剥がすと、肌に白く残るという形で望んだ図案が得られる、というものである（特許文献４）。
【００２３】
この製品の欠点は、適用範囲の狭さ、効果および安全性の低さなどである。こうしたことの原因は、この製品が本来歯科向けでないこと、選択した特定の部分の表面しか隠すことができないことである。そのため、歯列全体の目に見える面の全部を平滑に保ちつつその色と形を忠実に再現することはできない。しかも、ブラケットを装着した歯列には使用することができず、ブラケットを保護フィルムで覆うことができないため、堅い食物によるブラケットの破損や、ブラケットによる粘膜の損傷を防ぐことができない。そのため、患者によっては、会話や食物の咀嚼の際に頬の内側や口唇の表面に刺激を感じることもある。一方で、ブラケットによる口腔粘膜への刺激が頻繁かつ長期にわたって起こることも珍しくなく、その結果、頬の内側や口唇に硬結が生じる場合もある。
【先行技術文献】
【特許文献】
【００２４】
【特許文献１】ＲＵ２３９８５４８
【特許文献２】ＲＵ２５９８７６５
【特許文献３】ＲＵ（１１）２０１１１４９４９５（１３）Ａ
【特許文献４】ＲＵ（１１）２００９１２７８９８（１３）Ａ
【非特許文献】
【００２５】
【非特許文献１】Ｒｅｓｈｅｔｎｉｋｏｖ  Ａ．，  Ｋｏｐｙｌｏｖ  Ｍ．，  Ｕｒａｋｏｖ  Ａ．，  Ｕｒａｋｏｖａ  Ｔ．  Ｉｎｆｒａｒｅｄ  ｄｉａｇｎｏｓｔｉｃｓ  ｏｆ  ｔｈｅ  ｃａｌｌｕｓｅｓ    ｄｉｓｅａｓｅ  ｆｒｏｍ  ｂｒａｃｅｓ．  Ｑｕａｎｔｉｔａｔｉｖｅ  Ｉｎｆｒａｒｅｄ  Ｔｈｅｒｍｏｇｒａｐｈｙ  ２０１６．  ＡＢＳＴＲＡＣＴＳ．  １３ＴＨ  Ｑｕａｎｔｉｔａｔｉｖｅ  Ｉｎｆｒａｒｅｄ  Ｔｈｅｒｍｏｇｒａｐｈｙ．（２０１６年７月４〜８日，Ｇｄａｎｓｋ，Ｐｏｌａｎｄ）  発行元Ｇｄａｎｓｋ  Ｕｎｉｖｅｒｓｉｔｙ  ｏｆ  Ｔｅｃｎｏｌｏｇｙ，２０１６年  ７９〜８０頁
【非特許文献２】ｈｔｔｐ：／／ｐｒｏｔｅｚｉ−ｚｕｂｏｖ．ｒｕ／ｎａｋｌａｄｋｉ−ｎａ−ｚｕｂｙ／ｖｉｎｉｒｙ／ｃｈｔｏ−ｌｕｃｈｓｈｅ−ｖｉｎｉｒｙ−ｉｌｉ−ｌｊｕｍｉｎｉｒｙ．ｈｔｍｌ   閲覧日：２０１６年１０月２４日
【考案の概要】
【考案が解決しようとする課題】
【００２６】
本考案が解決しようとする課題は、適用範囲の拡大、効果および安全性の向上、製造の迅速さ、携帯性の向上、通院治療の条件下での患者自身による装着の容易さを実現することであり、それは、シールを摂食可能な材質により、ロールに巻かれた形で製造し、その一方の面には、健康な状態の上下いずれかの歯列の目に見える前面部を原寸大で再現したイメージが透けて見えるようになっており、そのイメージが繰り返し連続して描かれ、その隣接する歯列イメージ同士の間にはテープを幅方向に切り離すことができるように切り取り線としてのミシン目が設けられていることにより実現される。
【００２７】
本考案の効果は、ブラケットと口腔粘膜の双方を保護できること、頬の内側および口唇の硬結を予防できること、日常生活の中で独力で使用できること、さらに、美観を向上させることである。
【課題を解決するための手段】
【００２８】
今回考案されたのは、下側が貼り付き防止フィルムで覆われた粘着層と、使用中に変色することのない色付きのイメージが描かれた基材層と、最上部の透明コーティング層とを備えた、薄くかつ美麗な口腔前庭用シート状の歯列矯正用ブラケット装着時用美観シールであって、摂食可能な材質で作られ、厚さ１０〜２０μｍ、幅９〜１２ｍｍのテープ状となっており、基材層は不透明で粘着層と透明コーティング層の間に挟まれており、健康な状態の上下いずれかの歯列の目に見える前面部全体を原寸大で再現したパノラマ３Ｄイメージが繰り返し描かれ、それが基材層の全面を覆い、その隣接する歯列イメージ同士の間にはテープを幅方向に切り離すことができるように切り取り線としてのミシン目が設けられ、粘着層によって口腔内の硬組織と軟組織に確実に接着することを可能にし、さらにテープ状のシールに描かれるイメージは、上側歯列のみ、下側歯列のみ、または上下歯列の交互の繰り返しのいずれかで、そのテープはロール状に巻かれた形状とすることを要点とするものである。
【００２９】
ここに提案する考案では、シールの材質を摂食可能なものとしたことで、高度な安全性が保障されることとなった。その理由は、この材料は、たとえ誤って飲み込んでしまった場合でも人の消化器官と健康に害を及ぼさないからである。堅い食物および／または低品質の食物の咀嚼の際に、人によっては、ブラケットや貼り付け式テープといった装着済みの歯科的構造物を破損させてしまい、その一部または全部を気づかずに飲み込んでしまうことがしばしばある。製品全体の材質を摂食可能なものとすることにより、食品と同様の安全性が保障される。
【００３０】
厚さ１０〜２０μｍ（０．０１〜０．０２ｍｍ）、幅９〜１２ｍｍのテープ状のこの美観シールは、軽量で携帯に便利なうえ、誰でもきわめて簡単、確実に歯列にとりつけられるため、迅速に使用することができて効果も高い。歯列の高さは実は一定ではなく、かなりの凹凸があり、歯の目に見える部分のうち一番高さがあるのは犬歯および／または切歯で、この部分の長さは成人でも最大９ｍｍを超えない。そのため、上述したような厚さ１０〜２０μｍ（０．０１〜０．０２ｍｍ）、幅９〜１２ｍｍのテープ状シールであれば、切歯および／または犬歯の目に見える部分の高さが最も大きい人の場合でも、ブラケットを装着した歯列の目に見える表面の全体にこれを隙間なくぴったりと貼り付けてその全体を覆うことができる。この場合、厚さが０．０１ｍｍ未満であると、十分な強度が得られないうえ、テープに必要な層状構造、すなわち、粘着層、基材層、イメージ用着色剤および透明層をすべておさめることが困難になる。一方、厚さが０．０２ｍｍを超えると、テープの安全性を確保できないほか、ブラケット装着歯列の平坦でない凹凸のある並び、さらに歯間乳頭歯肉や歯の表面にこれを手軽にかつぴったりと貼り付けるのが困難となる。ところが、厚さが０．０１〜０．０２ｍｍの範囲内であれば、通院治療の条件下で、歯の咬合面に合わせて個々に美観シールを丸めることも、内側に巻き付けたりすることも、すばやく容易に行うことができる。一方、厚さが０．０２ｍｍを超えると、テープの弾性が高まり、強度も大きくなりすぎて、口唇および頬の内側の粘膜を刺激することになる。
【００３１】
テープの幅については、これがもし９ｍｍ未満であるなら、歯の目に見える表面をその一番高いところまで完全に覆うことができないであろう。テープの幅が９〜１２ｍｍの間であれば、歯のサイズが小さい、中ぐらい、さらに最大級に大きい人であっても、上下のすべての歯の目に見える表面の全体を完全に覆うことができる。このようなテープであれば、上下いずれかの歯列全体の表面に密着させ、硬組織および軟組織の表面にしっかりと貼り付けることができる。このとき、テープの歯からはみ出す部分は、咬合面の側にたやすく丸め、歯に巻き付けたのちその裏面に貼り付けることができる。しかし、幅が１２ｍｍを超えていると、歯の高さがあまりない場合、人によってはブラケット装着歯列にテープをぴったりと当ててからこれを貼り付けるのに困難をきたすことになる。
【００３２】
テープ表側のコーティング層は無色透明で、その層を通して透けて見える歯列前面を描いたパノラマ３Ｄイメージのもともとの色合いが保たれる。このため、歯列の形状が立体的に高いクオリティをもって再現され、美観上の効果が高まる。
【００３３】
不透明な基材層が粘着層と無色透明層の間に挟まれた構造であること、基材層の表側が透明層でぴったりと被覆されていること、健康な状態の上下いずれかの歯列の目に見える前面の全体を原寸大で再現したパノラマ３Ｄイメージが、基材層の全面を覆うかたちで繰り返し描かれていることが、高い美観上の効果をもたらしている。ここで大事なのは、不透明な基材層のおかげで歯列矯正用ブラケットが美観シールから透けて見えることがなく、外から見るとブラケットは完全に隠れて目に見えないことである。基材層が粘着層と透明コーティングの間に挟まれた構造であるため、美観シールを歯列矯正ブラケットの表面に接着したのちも、歯列の目に見える前面を再現したパノラマ３Ｄイメージは確実に透けて見える。健康な状態の上下いずれかの歯列の目に見える前面の全体を原寸大で再現したパノラマ３Ｄイメージが連続して描かれ、それが基材層の全面を覆っていることが、高い美観上の効果を保障している。なぜなら歯列の形状を立体的に再現することができるからである。
【００３４】
隣接するパノラマ３Ｄイメージ同士の間に、テープを幅方向に切り離すことができるように切り取り線としてのミシン目が設けられていることにより、高度な審美性のほかにも、通院治療の条件下での個人による使用の確実さ、正確さ、迅速さ、容易さも達成された。その理由は、このような仕様のおかげで、テープは、「必要な」個所でごく小さな力ですばやく切り離すことができるからである。
【００３５】
また、美観シールに粘着層を設けて口腔内の硬組織と軟組織に貼り付けられるようにしたことで、会話や食物の咀嚼中でも粘着テープの効果が低下せず、確実かつ長期に「定位置に」とどまらせることができる。これは、美観シールがその全面にわたって歯および歯肉にしっかりと固定されるからである。
【００３６】
この美観シールにおける歯列のパノラマ３Ｄイメージは、上側歯列のみ、下側歯列のみ、上下の歯列を交互に、の３通りのバージョンがあることでテープの適用範囲が広がり、使用効果も美観も向上する。なぜなら、ブラケットを上下どちらかの歯列にのみ装着しているか、あるいはその両方に装着しているかに応じて、必要なイメージが描かれた美観シールを選んでブラケットを隠すことができるからである。
【００３７】
使用前の美観シールをロールに巻かれた形状のものとしたことで、適用範囲が一層広がり、保管や持ち運びの利便性が増し、通院治療の条件下で個人がすばやく使用することが可能になる。その理由は、これがガムテープや絶縁テープなどの日用品に幅広く使われている形状だからである。つまり、美観シールがこのような形状であれば、利用者は、ロール状のテープを使った過去の豊富な経験を生かすことができる。また、美観シール専用の取扱い説明書も不要になるので、価格をより安価にすることができる。
【図面の簡単な説明】
【００３８】
【図１】歯列矯正ブラケット装着時用美観シールの概略図である。
【図２】歯列矯正ブラケット装着時用美観シールの概略図である。
【図３】歯列矯正ブラケット装着時用美観シールの概略図である。
【図４】歯列矯正ブラケット装着時用美観シールの概略図である。
【考案を実施するための形態】
【００３９】
選択した部分を切り離す前の初期状態では、矯正ブラケット装着時用美観シール１は、使用前にはロール状２に巻かれた形状であり、その一部を切り離し、上側歯列のみ、下側歯列のみ、または上下両方の歯列に貼り付けることができる。その理由は、シールには然るべきパノラマ３Ｄイメージ３が描かれており、隣接するイメージ同士は、幅方向に走る切り取り線としてのミシン目４によって区切られているからである（図１および図３）。
【００４０】
美観シールはテープ状であり、その最上面が透明コーティング５、次が被覆用の不透明基材層６、最後が粘着層７という構造になっている（図２）。
【００４１】
ロールから巻き出され、切り離され、矯正ブラケット装着歯列に貼り付けられる状態にある美観シールの１セグメントには、然るべき歯列のパノラマ３Ｄイメージが描かれている（図３）。
【００４２】
上側歯列に貼り付けられた状態の歯列矯正ブラケット装着時用美観シール（図４）。
【００４３】
この製品は次のように使用する。
【００４４】
歯科医の診察を受け、上側および／または下側歯列の矯正用ブラケットの装着・固定を行った患者は、その後も食事、会話、活動の内容を変えることなく会話し、食事をし続ける。このとき、患者のほぼ全員が、遅かれ早かれ、１回であれ複数回であれ、他人と面と向かって会話を交わすことになる。歯列矯正ブラケットを装着した場合、人によっては、この歯科的施術によって美観が低下したことで気持ちが沈み、表情が冴えなくなる。また、口唇や頬の内側の表面に刺激による不快感を覚えることもある。特に大切な時期、たとえば、テレビ出演、親族間のお祝い事におけるビデオ撮影や写真撮影などの際には体調がすぐれなくなる患者もいるし、神経症またはそれに類する症状が生じ、血圧が上昇したり、仕事の能率が落ちることがある。
【００４５】
こうした問題を防ぐためには、薬局に行き、上下いずれかの歯列、または上下の歯列を交互に配したパノラマ３Ｄイメージが描かれた歯列矯正ブラケット装着時用美観シールを選んで購入し、その後、洗面台で歯磨きをしてから、対応する歯列の矯正ブラケットの水分をよく拭き取り、美観シールを巻き出して必要な１セグメントを切り離し、該当する歯列に貼り付けて位置を合わせてから、シールの余っている部分を歯の裏側に折りこみ、歯列の硬組織と軟組織の全面にシールを接着させる。
【００４６】
ここに提案する歯列矯正ブラケット装着時用美観シールは、摂食可能な材質により、ロールに巻かれたテープという形で製造され、その表側面には、健康な状態の上下いずれかの歯列の目に見える前面部を原寸大で再現したパノラマ３Ｄイメージが透けて見えるようになっており、そのイメージが繰り返し連続して描かれ、その隣接する歯列イメージ同士の間にテープを幅方向に切り離すことができるように切り取り線としてのミシン目が設けられていることにより、適用範囲が拡張され、効果、安全性、迅速性、携帯性、保管の容易性、通院治療の条件下での個人的な使用の利便性が向上している。
【００４７】
肝心なのは、この製品を取り扱う作業のすべてを、すなわち、テープ状粘着シールの表側から透明コーティング層ごしに立体的な歯列の形状が描かれているのを見る、上下いずれかの歯列用につくられた美観シールを選択する、テープからセグメントを選んで切り離す、それを歯列に接着する、歯肉および歯の上でのその位置を調整する、余った部分を歯の咀嚼に使う部分の上に、あるいは必要であれば歯の裏側に折り込んで貼り付ける、といったことを利用者は常に自分で行う、という点である。
【００４８】
この歯列矯正ブラケット装着時用美観シールを利用すれば、摂食可能な材質によりテープ状に製造され、その表側面には、健康な状態の上下いずれかの歯列の目に見える前面部を原寸大で再現したパノラマ３Ｄイメージが透けて見えるようになっており、そのイメージが繰り返し連続して描かれ、その隣接する歯列イメージ同士の間にテープを幅方向に切り離すことができるように切り取り線としてのミシン目が設けられていることにより、適用範囲を拡張し、効果、安全性、迅速性、携帯性、保管の容易性、通院治療の条件下での個人による使用の利便性を向上させることができる。また、テープはロールに巻きつけた形状になっている。
【符号の説明】
【００４９】
１  矯正ブラケット装着時用美観シール
２  ロール状
３  パノラマ３Ｄイメージ
４  ミシン目
５  透明コーティング
６  基材層
７  粘着層
【図１】
0003224186.tif 000003
【図２】
0003224186.tif 000004
【図３】
0003224186.tif 000005
【図４】
0003224186.tif 000006